(57)【特許請求の範囲】
【請求項１】
電気信号を伝達するための一対の端子部と、
板状に形成された接地電位に接続されている接地部と、
を有し、前記一対の端子部は複数形成されており、
複数の前記一対の端子部は、前記接地部における面と略平行な同一平面上に配列されているものであって、
前記接地部と前記一対の端子部との間には絶縁体部が設けられており、
前記接地部には、前記接地部における面に前記一対の端子部の側に凸となる形状の突起部を有しており、
前記突起部は、複数の前記一対の端子部のうち、一の一対の端子部と前記一の一対の端子部と隣り合う他の一対の端子部との間に２つ設けられており、
前記突起部は、前記接地部の一部が切り起こされた形状で形成されており、
前記２つの突起部のうち、一方の突起部は、前記一の一対の端子部の側に前記接地部の一部を切り起こすことにより形成されており、他方の突起部は、前記他の一対の端子部の側に前記接地部の一部を切り起こすことにより形成されていることを特徴とするコネクタ。
【請求項２】
前記２つの突起部のうち、前記一方の突起部と前記他方の突起部とは、前記コネクタの接続方向における長さが異なるものであることを特徴とする請求項１に記載のコネクタ。
【請求項３】
前記接地部と、前記一対の端子部と、前記絶縁体部とによりユニットが形成されているものであることを特徴とする請求項１または２に記載のコネクタ。
【請求項４】
前記ユニットは、前記接地部が形成する面と略垂直方向に複数積層されているものであることを特徴とする請求項３に記載のコネクタ。
【発明の詳細な説明】
【技術分野】
【０００１】
本発明は、コネクタに関する。
【背景技術】
【０００２】
電子装置及び電子機器等を電気的に接続し、電気信号等の伝達を行なうための接続部材としてコネクタが用いられている。このようなコネクタとしては、用途に応じて様々な種類のものがあり、各々の用途に応じて使い分けられている。例えば、高周波の信号伝達に対応するために、高周波対応のコネクタ等がある。
【０００３】
このような高周波に対応したコネクタとして、特許文献１では、コネクタを通るインピーダンスの不連続正を最小化した高速データ転送接続のためのコネクタが開示されている。
【先行技術文献】
【特許文献】
【０００４】
【特許文献１】特開２００５−００５２７２号公報
【発明の概要】
【発明が解決しようとする課題】
【０００５】
ところで、高周波信号は、様々なノイズ等の影響を受け易く、特に、高周波用コネクタにおいて、接地（ＧＮＤ）端子と信号端子との位置関係が変化すると、信号端子における特性インピーダンスに影響を与え、伝送される信号の劣化及び損失等が増大し、高速の信号伝送に悪影響を及ぼしてしまう。また、高周波コネクタの多くは、伝送速度を向上させるため、複数の接続端子が設けられており、接続端子をできる限り高密度に配置することができ、小型化が可能なコネクタが望まれている。
【０００６】
本発明は、上記に鑑みてなされたものであり、高周波信号の伝送において、伝送される信号の劣化が少なく、また、高集積化可能な構造であって、高周波信号に対応したコネクタを提供することを目的とするものである。
【課題を解決するための手段】
【０００７】
本発明は、電気信号を伝達するための一対の端子部と、板状に形成された接地電位に接続されている接地部と、を有し、前記一対の端子部は複数形成されており、複数の前記一対の端子部は、前記接地部における面と略平行な同一平面上に配列されているものであって、前記接地部と前記一対の端子部との間には絶縁体部が設けられており、前記接地部には、前記接地部における面に前記一対の端子部の側に凸となる形状の突起部を有しており、前記突起部は、複数の前記一対の端子部のうち、一の一対の端子部と前記一の一対の端子部と隣り合う他の一対の端子部との間に２つ設けられており、前記突起部は、前記接地部の一部が切り起こされた形状で形成されており、前記２つの突起部のうち、一方の突起部は、前記一の一対の端子部の側に前記接地部の一部を切り起こすことにより形成されており、他方の突起部は、前記他の一対の端子部の側に前記接地部の一部を切り起こすことにより形成されていることを特徴とする。
【０００８】
また、本発明は、前記突起部は、前記一対の端子部の両側に各々設けられているものであることを特徴とする。
【０００９】
また、本発明は、前記突起部は、前記接地部の一部が切り起こされた形状で形成されているものであることを特徴とする。
【００１０】
また、本発明は、前記突起部は、前記接地部の一部が押し出された形状により形成されたものであることを特徴とする。
【００１１】
また、本発明は、前記２つの突起部のうち、前記一方の突起部と前記他方の突起部とは、前記コネクタの接続方向における長さが異なるものであることを特徴とする。
【００１２】
また、本発明は、複数の前記一対の端子部は、前記接地部における面と略平行な同一平面上に配列されているものであって、前記接地部と、前記一対の端子部と、前記接地部と前記一対の端子部との間に設けられた絶縁体部とによりユニットが形成されているものであることを特徴とする。
【００１３】
また、本発明は、前記ユニットは、前記接地部が形成する面と略垂直方向に複数積層されているものであることを特徴とする。
【発明の効果】
【００１４】
本発明によれば、高周波信号の伝送において、伝送される信号の劣化が少なく、また、高集積化可能な構造であって、高周波信号に対応したコネクタを提供することができる。
【図面の簡単な説明】
【００１５】
【図１】第１の実施の形態におけるプラグコネクタとジャックコネクタの斜視図
【図２】第１の実施の形態におけるプラグコネクタの説明図
【図３】第１の実施の形態におけるジャックコネクタの説明図
【図４】第１の実施の形態におけるプラグユニットの接地部の斜視図
【図５】第１の実施の形態におけるプラグユニットの斜視図（１）
【図６】第１の実施の形態におけるプラグユニットの斜視図（２）
【図７】第１の実施の形態におけるプラグユニットの上面図
【図８】第１の実施の形態におけるプラグユニットの側面図
【図９】第１の実施の形態におけるプラグユニットの断面図
【図１０】第１の実施の形態におけるプラグユニットの要部拡大図
【図１１】第１の実施の形態におけるコネクタの接続状態の斜視図
【図１２】第１の実施の形態におけるコネクタの接続状態の上面図
【図１３】第１の実施の形態におけるコネクタの接続されていない状態の斜視図
【図１４】第１の実施の形態におけるコネクタの接続されていない状態の上面図
【図１５】第１の実施の形態におけるコネクタの接続状態の要部拡大図
【図１６】第１の実施の形態におけるプラグコネクタの他の接地部の斜視図
【図１７】第２の実施の形態におけるプラグユニットの説明図
【図１８】第２の実施の形態におけるプラグユニットの接地部の斜視図
【図１９】第２の実施の形態におけるプラグユニットの斜視図（１）
【図２０】第２の実施の形態におけるプラグユニットの斜視図（２）
【図２１】第２の実施の形態におけるプラグユニットの上面図
【図２２】第２の実施の形態におけるプラグユニットの側面図
【図２３】第２の実施の形態におけるプラグユニットの断面図
【図２４】第２の実施の形態におけるコネクタの接続状態の斜視図
【図２５】第２の実施の形態におけるコネクタの接続状態の上面図
【図２６】第２の実施の形態におけるコネクタの接続されていない状態の斜視図
【図２７】第２の実施の形態におけるコネクタの接続されていない状態の上面図
【図２８】第３の実施の形態におけるプラグユニットの説明図
【図２９】第３の実施の形態におけるプラグユニットの接地部の斜視図
【図３０】第３の実施の形態におけるプラグユニットの斜視図（１）
【図３１】第３の実施の形態におけるプラグユニットの斜視図（２）
【図３２】第３の実施の形態におけるプラグユニットの上面図
【図３３】第３の実施の形態におけるプラグユニットの側面図
【図３４】第３の実施の形態におけるプラグユニットの断面図
【図３５】第３の実施の形態におけるコネクタの接続状態の斜視図
【図３６】第３の実施の形態におけるコネクタの接続状態の上面図
【図３７】第３の実施の形態におけるコネクタの接続されていない状態の斜視図
【図３８】第３の実施の形態におけるコネクタの接続されていない状態の上面図
【発明を実施するための形態】
【００１６】
本発明を実施するための形態について、以下に説明する。尚、同じ部材等については、同一の符号を付して説明を省略する。
【００１７】
〔第１の実施の形態〕
（コネクタ）
最初に、本実施の形態におけるコネクタについて説明する。本実施の形態におけるコネクタは、一方のプラグコネクタと他方のジャックコネクタとを接続することにより、電子機器等を接続することができ、高速で電気信号を伝達することができる高周波に対応したコネクタである。
【００１８】
具体的には、図１に示すように、プラグコネクタ１０とジャックコネクタ２０とが用いられる。尚、図１（ａ）は、プラグコネクタ１０とジャックコネクタ２０との上面斜視図であり、図１（ｂ）は、裏面斜視図である。
【００１９】
（プラグコネクタ）
図２に示されるように、プラグコネクタ１０は、ハウジング１１と複数のプラグユニット１２により構成されている。プラグユニット１２は、銅等の金属材料の金属板により形成されているＧＮＤ部（接地部）１３と、樹脂材料等により形成されている絶縁体部１４、電極端子となる複数のプラグ端子部１５及び１６を有している。２本のプラグ端子部１５及び１６は一対として配置されており、各々のプラグ端子部１５及び１６は、異なる電気信号を伝達することが可能である。図では、一例として、プラグ端子部１５及び１６を三対有しているものが示されている。
【００２０】
ＧＮＤ部１３とプラグ端子部１５及び１６とは、絶縁体部１４により絶縁されており、プラグ端子部１５及び１６の一方の端部は、後述するジャック端子部と接続される１本の棒状に形成されたプラグ端子接続部１７及び１８を有している。プラグ端子接続部１７及び１８は、プラグ端子部１５及び１６の一部をＧＮＤ部１３の形成する面に対し略垂直方向に折曲げることにより形成されている。また、プラグ端子部１５及び１６の他方の端部は不図示の電極端子が設けられており、不図示の基板と接続されている。
【００２１】
（ジャックコネクタ）
一方、図３に示されるように、ジャックコネクタ２０は、ハウジング２１と複数のジャックユニット２２により構成されており、ジャックユニット２２は、金属板により形成されているＧＮＤ部２３と、樹脂材料等により形成されている絶縁体部２４、電極端子となる複数のジャック端子部２５及び２６を有している。２本のジャック端子部２５及び２６は一対として配置されており、各々のジャック端子部２５及び２６は、異なる電気信号を伝達することが可能である。図では、一例として、ジャック端子部２５及び２６が三対のものが示されている。
【００２２】
ＧＮＤ部２３とジャック端子部２５及び２６とは、絶縁体部２４により絶縁されている。ジャック端子部２５及び２６の一方の端部には、１本の棒状に形成されたジャック端子接続部２７及び２８を有しており、プラグコネクタ１０とジャックコネクタ２０とが接続された際には、プラグ端子部１５及び１６におけるプラグ端子接続部１７及び１８と電気的に接続される。また、ジャック端子部２５及び２６の他方の端部は不図示の電極端子が設けられており、不図示の基板と接続されている。
【００２３】
（プラグユニット）
次に、図４に基づき、より詳細に、プラグユニット１２おけるＧＮＤ部１３について説明する。本実施の形態におけるコネクタでは、金属板により形成されるＧＮＤ部１３において、ＧＮＤ部１３の表面の一部が切り起こされたような形状で形成される突起部となる切り起し部３１、３２が複数設けられている。この切り起し部３１、３２は、例えば、ＧＮＤ部１３の一部を切り起こすことに形成される。
【００２４】
この切り起し部３１、３２は、対となるプラグ端子接続部１７及び１８の両側に位置する領域に形成されており、これにより、ジャック端子接続部２７及び２８と接続されるプラグ端子接続部１７及び１８からのノイズを遮蔽することができる。
【００２５】
このことを図５から図９に基づき説明する。図５及び図６は、本実施の形態におけるコネクタのプラグユニット１２の斜視図であり、図７は、上面図であり、図８は、接続方向における側面図であり、図９は、図７における破線７Ａ−７Ｂにおいて切断した断面図であり、図１０は、図６におけるプラグ端子接続部１７及び１８の拡大図である。
【００２６】
プラグ端子接続部１７及び１８は、ＧＮＤ部１３と略平行となる面に沿って並べられて配置されているが、対となっていないプラグ端子接続部１７とプラグ端子接続部１８との間は、高集積化等の要求により、近接した位置に配置されている。本実施の形態におけるコネクタでは、対となっていないプラグ端子接続部１７とプラグ端子接続部１８との間に切り起し部３１、３２を設けることにより、プラグ端子接続部１７または１８のいずれかに電気信号が伝達される際に生じる電磁波が、隣接する対となっていないプラグ端子接続部１７及び１８に与える影響を防ぐことができる。即ち、プラグ端子接続部１７または１８において発生した電磁波の一部がプラグ端子接続部１７または１８に近い位置に形成されている切り起し部３１及び３２において吸収されるため、ノイズを低減させることができるものと推察される。このため、切り起し部３１及び３２の長さは、長く形成されていることが好ましい。また、隣接する対となっていないプラグ端子接続部１７及び１８における間隔よりも、プラグ端子接続部１７及び１８と切り起し部３１、３２との間は短く形成されていることが好ましい。プラグ端子接続部１７及び１８等より生じるノイズとなる電磁波の一部が、切り起し部３１、３２において吸収されるため、ノイズが低減されるものと推察されるからである。
【００２７】
（コネクタの接続）
図１１及び図１２は、プラグコネクタ１０とジャックコネクタ２０とが接続されている状態におけるプラグユニット１２とジャックユニット２２とを示す。尚、図１１はこの状態の斜視図であり、図１２は上面図である。また、図１３及び図１４は、プラグコネクタ１０とジャックコネクタ２０とが接続されていない状態におけるプラグユニット１２とジャックユニット２２とを示す。尚、図１３はこの状態の斜視図であり、図１４は上面図である。
【００２８】
図１２から図１４に示されるように、ジャックユニット２２に設けられているＧＮＤ部２３は、板状のＧＮＤ本体部３０とＧＮＤ本体部３０と接続された４本のＧＮＤ端子部４１を有している。ＧＮＤ端子部４１の長さは、プラグユニット１２のＧＮＤ部１３に形成された切り起し部３１及び３２の長さや形状に対応して形成されている。即ち、切り起し部３１及び３２がコネクタの接続方向に長く形成されている場合には、ＧＮＤ端子部４１の長さは短く形成される。
【００２９】
図１５は、プラグコネクタ１０とジャックコネクタ２０とが接続されている状態におけるプラグユニット１２とジャックユニット２２との接続部分の拡大図である。プラグコネクタ１０とジャックコネクタ２０とを接続した際、ジャックコネクタ２０におけるジャック端子接続部２７は、プラグコネクタ１０におけるプラグ端子接続部１７とジャック端子接続部２７の接点部２７ｂにおいて接触し、ジャックコネクタ２０におけるジャック端子接続部２８は、プラグコネクタ１０におけるプラグ端子接続部１８とジャック端子接続部２８の接点部２８ｂにおいて接触している。
【００３０】
前述のとおり、ジャック端子接続部２７及び２８は、一対で配置されているものであって、予め接点部２７ｂと２８ｂとの間隔は広くなっており、プラグコネクタ１０とジャックコネクタ２０とを接続した際、棒状部２７ａ及び２８ａのバネ性により、ジャック端子接続部２７及び２８の接点部２７ｂ及び２８ｂにおいて、ともに外側方向に力が働く。この方向には、プラグコネクタ１０のプラグ端子接続部１７及び１８が相互の面が対向するように形成されており、棒状部２７ａ及び２８ａにおけるバネ性により、ジャック端子接続部２７及び２８は、接点部２７ｂ及び２８ｂにおいて、プラグ端子接続部１７及び１８に押しつける方向に力が働く。即ち、プラグ端子接続部１７及び１８は対向して配置されており、対向している内側部分で、ジャック端子接続部２７及び２８は、接点部２７ｂ及び２８ｂにおいて、プラグ端子接続部１７及び１８に押しつける方向に力が働く。これにより、プラグ端子接続部１７及び１８とジャック端子接続部２７及び２８との接続が維持される。
【００３１】
尚、プラグコネクタ１０とジャックコネクタ２０とを接続する際には、ジャックコネクタ２０のジャック端子接続部２７及び２８は、プラグコネクタ１０の板状のＧＮＤ部１３に沿って接続させる。即ち、プラグコネクタ１０の板状のＧＮＤ部１３に対しジャック端子接続部２７及び２８を略平行に移動することにより接続させる。これによりジャック端子接続部２７及び２８とＧＮＤ部１３との距離は一定に保たれた状態で接続することができる。
【００３２】
本実施の形態におけるコネクタでは、プラグ端子接続部１７及び１８とジャック端子接続部２７及び２８との接続部分の近傍において、プラグユニット１２おけるＧＮＤ部１３に切り起し部３１、３２を設けることにより、ノイズを低減させることができる。
【００３３】
（他の形状のＧＮＤ部）
次に、プラグコネクタ１０のプラグユニット１２における他の形状のＧＮＤ部について図１６に基づき説明する。図１６に示されるＧＮＤ部１３ａは、突起部となるＧＮＤ部１３ａの一部が出っ張った形状で形成された凸部３３が設けられている。このような形状は、コラゲーションタイプとも呼ばれており、背面側よりＧＮＤ部１３ａの凸部３３の形成される部分を押し出すこと等により形成することができる。このような凸部３３を有する形状のＧＮＤ部１３ａについても、上述したＧＮＤ部１３と同様に用いることができ、同様の効果を得ることができる。
【００３４】
〔第２の実施の形態〕
次に、第２の実施の形態について説明する。本実施の形態におけるコネクタは、プラグユニットおけるＧＮＤ部の形状が、第１の実施の形態とは異なる形状のものである。図１７は、本実施の形態におけるプラグコネクタを構成するプラグユニット１１２の構造分解図であり、図１８は、プラグユニット１１２を構成するＧＮＤ部１１３の斜視図である。また、図１９及び図２０は、本実施の形態におけるコネクタのプラグユニット１１２の斜視図であり、図２１は、上面図であり、図２２は、接続方向における側面図であり、図２３は、図２１における破線２１Ａ−２１Ｂにおいて切断した断面図である。
【００３５】
本実施の形態では、ＧＮＤ部１１３には、複数の切り起し部１３１及び１３２が設けられており、コネクタの接続方向に対し短い形状で形成されている。このように短い形状で形成することにより、図２４から図２７に示されるように、ジャックコネクタにおけるジャックユニット１２２のＧＮＤ端子部１４１を長く形成することができる。尚、図２４及び図２５は、プラグコネクタとジャックコネクタとが接続されている状態におけるプラグユニット１１２とジャックユニット１２２とを示すものであり、図２４はこの状態の斜視図であり、図２５は上面図である。また、図２６及び図２７は、プラグコネクタとジャックコネクタとが接続されていない状態におけるプラグユニット１１２とジャックユニット１２２とを示すものであり、図２６はこの状態の斜視図であり、図２７は上面図である。
【００３６】
尚、上記以外の内容については、第１の実施の形態と同様である。
【００３７】
〔第３の実施の形態〕
次に、第３の実施の形態について説明する。本実施の形態におけるコネクタは、プラグユニットおけるＧＮＤ部の形状が、第１の実施の形態とは異なる形状のものである。図２８は、本実施の形態におけるプラグコネクタを構成するプラグユニット２１２の構造分解図であり、図２９は、プラグユニット２１２を構成するＧＮＤ部２１３の斜視図である。また、図３０及び図３１は、本実施の形態におけるコネクタのプラグユニット２１２の斜視図であり、図３２は、上面図であり、図３３は、接続方向における側面図であり、図３４は、図３２における破線３２Ａ−３２Ｂにおいて切断した断面図である。
【００３８】
本実施の形態では、ＧＮＤ部２１３には、複数の切り起し部２３１、２３２、２３３、２３４、２３５及び２３６が設けられている。切り起し部２３１、２３２、２３５及び２３６は、コネクタの接続方向に対し短い形状で形成されており、切り起し部２３４及び２３６は、コネクタの接続方向に対し長い形状で形成されている。切り起し部２３１、２３２、２３３、２３４、２３５及び２３６をこのような形状で形成することにより、図３５から図３８に示されるように、ジャックコネクタにおけるジャックユニット２２２において、ＧＮＤ端子部２４１及び２４４を長く形成し、ＧＮＤ端子部２４３及び２４３を短く形成することができる。
【００３９】
具体的には、ジャックユニット２２２に設けられているＧＮＤ部には、ＧＮＤ本体部と接続された４本のＧＮＤ端子部２４１、２４２、２４３及び２４４を有している。ＧＮＤ端子部２４１、２４２、２４３及び２４４は、長さの異なる２種類のＧＮＤ端子により構成されており、両側の外側には長さの長いＧＮＤ端子部２４１及び２４４が形成されており、内側には長さの短いＧＮＤ端子部２４２及び２４３が形成されている。
【００４０】
このようにＧＮＤ端子部２４１及び２４４を長く形成しているのは、静電気の影響等により機器等が破壊されてしまうのを防ぐため、プラグコネクタとジャックコネクタとは、お互いのＧＮＤ部同士を最初に電気的に接続させることができる。即ち、プラグコネクタのＧＮＤ部２１３とジャックコネクタにおけるＧＮＤ端子２４１及び２４４とを最初に接続させることができる。
【００４１】
本実施の形態においては、このようなプラグコネクタにも対応することができる。
【００４２】
尚、図３５及び図３６は、プラグコネクタとジャックコネクタとが接続されている状態におけるプラグユニット２１２とジャックユニット２２２とを示すものであり、図３５はこの状態の斜視図であり、図３６は上面図である。また、図３７及び図３８は、プラグコネクタとジャックコネクタとが接続されていない状態におけるプラグユニット１１２とジャックユニット１２２とを示すものであり、図３７はこの状態の斜視図であり、図３８は上面図である。
【００４３】
尚、上記以外の内容については、第１の実施の形態と同様である。
【００４４】
以上、本発明の実施に係る形態について説明したが、上記内容は、発明の内容を限定するものではない。
【符号の説明】
【００４５】
１０    プラグコネクタ
１１    ハウジング
１２    プラグユニット
１３    ＧＮＤ部（接地部）
１４    絶縁体部
１５    プラグ端子部
１６    プラグ端子部
１７    プラグ端子接続部
１８    プラグ端子接続部
２０    ジャックコネクタ
２１    ハウジング
２２    ジャックユニット
２３    ＧＮＤ部（接地部）
２４    絶縁体部
２５    ジャック端子部
２６    ジャック端子部
２７    ジャック端子接続部
２７ａ  棒状部
２７ｂ  接点部
２８    ジャック端子接続部
２８ａ  棒状部
２８ｂ  接点部
３１    切り起し部（突起部）
３２    切り起し部（突起部）
４１    ＧＮＤ端子
【図１】
0005727765.tif 000002
【図２】
0005727765.tif 000003
【図３】
0005727765.tif 000004
【図４】
0005727765.tif 000005
【図５】
0005727765.tif 000006
【図６】
0005727765.tif 000007
【図７】
0005727765.tif 000008
【図８】
0005727765.tif 000009
【図９】
0005727765.tif 000010
【図１０】
0005727765.tif 000011
【図１１】
0005727765.tif 000012
【図１２】
0005727765.tif 000013
【図１３】
0005727765.tif 000014
【図１４】
0005727765.tif 000015
【図１５】
0005727765.tif 000016
【図１６】
0005727765.tif 000017
【図１７】
0005727765.tif 000018
【図１８】
0005727765.tif 000019
【図１９】
0005727765.tif 000020
【図２０】
0005727765.tif 000021
【図２１】
0005727765.tif 000022
【図２２】
0005727765.tif 000023
【図２３】
0005727765.tif 000024
【図２４】
0005727765.tif 000025
【図２５】
0005727765.tif 000026
【図２６】
0005727765.tif 000027
【図２７】
0005727765.tif 000028
【図２８】
0005727765.tif 000029
【図２９】
0005727765.tif 000030
【図３０】
0005727765.tif 000031
【図３１】
0005727765.tif 000032
【図３２】
0005727765.tif 000033
【図３３】
0005727765.tif 000034
【図３４】
0005727765.tif 000035
【図３５】
0005727765.tif 000036
【図３６】
0005727765.tif 000037
【図３７】
0005727765.tif 000038
【図３８】
0005727765.tif 000039